(57)【要約】【課題】  従来、胎児監視において母体腹壁上にセンサ類を装着した状態では腹壁からセンサが「出っ張って」いるため邪魔になり、また衣擦れにより好ましからざる機械的ノイズや接線方向の応力を発生する。【解決手段】  センサを具備する装置の外匡（１）を臍窩部（２）に嵌入するごとく装着されるドーム状の構造とし、押え板（３）（省略可）および大きな絆創膏（４）の介助により臍窩部（２）に装着された結果としてその外側の面が周囲の体表面（腹壁表面）（５）との関係が出っ張らずに面一（つらいち）になるようにする。このように面一に装着すれば邪魔にならず、また衣擦れに起因する機械的ノイズや接線方向の応力の発生を防止できる。【選択図】図１
2019048022.tif 000002
【特許請求の範囲】
【請求項１】
臍窩に嵌入するごとく装着され、装着された結果その外側の面が周囲の腹壁体表面と略面一になるごとく構成された事を特徴とする、装身具あるいはウエアラブルデバイス。
【請求項２】
臍窩に嵌入する部分が略ドーム状の外形を有し、該ドーム状の構造物が機械的ないし音響学的なセンサの機能を具備するごとく構成された事を特徴とする、請求項１に規定の装身具あるいはウエアラブルデバイス。
【請求項３】
臍窩に嵌入する部分が略ドーム状の外形を有し、該ドーム状の構造物が生体電極の機能を具備するごとく構成された事を特徴とする、請求項１に規定の装身具あるいはウエアラブルデバイス。
【請求項４】
臍窩に嵌入する部分が略ドーム状の外形を有し、該ドーム状の構造物が指向性を有する超音波送受波器の機能を具備するごとく構成された事を特徴とする、請求項１に規定の装身具あるいはウエアラブルデバイス。
【請求項５】
請求項１に規定の装身具あるいはウエアラブルデバイスであって、該周囲の腹壁体表面と略面一になるごとく構成された外側の面において情報の伝送あるいはマーカー、ビーコン、照明等の目的で光、電磁波あるいは超音波を放射する機能を具備するごとく構成された事を特徴とする。該デバイス。
【発明の詳細な説明】
【発明の詳細な説明】
【００１０】  この発明は装身具あるいはウエアラブルデバイスに関し、特に臍窩に嵌入して装着する如く構成されたを特徴とする該装置に関する。ここで装身具あるいはウエアラブルデバイスと言う概念事象は単なる装飾やこけおどしが目的の場合もあり、また計測や通信を目的とする電子装置等を具備内蔵する装置の場合もある。
【００２０】  以下、上記の如き本発明の概念を、胎児監視の目的で胎児信号を（さらには必要に応じて母体信号をもついでに）採取し伝送するウエアラブルテレメーター発信機の場合に関して例示する。しかしながらこの例示は単なる一部の目的の場合に関する例示であり、本発明の主旨がこの特定の実施例の例示に拘束される事はない。
【００３０】  胎児監視は昨今殆どの場合において母体腹壁上にセンサ類を具備したテレメーター発信器を装着し無拘束状態で監視を行う事が常である。しかしながらこの腹壁上のテレメーター発信機は通常体躯を周回するベルトで締め付け括り着けられる構造ないし構成で装着せられ、装着状態では腹壁から「出っ張って」いる。この出っ張っている事はいくつかの問題点を惹起する物であるが、従来は「それが当たり前」という暗黙の了解で看過されて来た。
【００４０】  いくつかの問題点を列記する。
（１）センサがお腹の上で出っ張っていると先ずもって諸般の医療上の他の操作の邪魔になる。
（２）センサがお腹の上で出っ張っているとその上に被せられた着衣や毛布、布団等との間で摩擦を生じ、いわゆる衣擦れ（きぬずれ）による機械的な雑音が生じ、それが採取される胎児信号や他の生体信号に直接的にあるいは間接的に混入し、邪魔な妨害雑音（アーティファクト）となる。
（３）センサがお腹の上で出っ張っていると上記の衣擦れと同期して接線方向の応力を生じ、これがセンサの位置や向きを変えてしまう事がある。
【００５０】  本発明はそのような好ましからざる事態が起こる事を避け得るような装置構成を実現せんとするものである。すなわち本発明の主旨を具現する形で設計製作される胎児監視用のウエアラブルテレメーター発信器は臍窩にぴたりと嵌入して装着され、装着された結果その背面（体表面とは反対側の、外界に面する面）が周囲の腹壁と「面一」（つらいち）になり、出っ張ってはいない状態になるように構成されるのが特徴である。
【００６０】  以下典型的、代表的な好ましい実施例の１つを図示を似って説明する。図１は本発明に成る、本発明の主旨を具現する形で設計製作された胎児監視用のウエアラブルテレメーター発信器の装着時の断面図であり、全体像としてこの装置は臍窩にぴたりと嵌入して装着され、装着された結果その背面（体表面とは反対側の、外界に面する面）が周囲の腹壁と「面一」（つらいち）になり、出っ張ってはいない状態になるように構成される。
【００７０】  これにおいて、臍窩部（２）の側に向いたドーム状の外形を有する本装置の外匡（１）は液室を成し、その壁は硬い（フレキシブルではない）構造体もしくは軟らかい（フレキシブルな）構造体であり、その壁は必要な強度を持ちつつもここで使用する超音波にとっては十分な透過性を有する。この液室を満たす超音波を良く通す液体は軽水、重水、植物油、動物油、鉱油、シリコーンオイル等のなかから選択される。該液室内には、図示は省略するが、それ自身が指向性を有する超音波送受波器およびそれを支援して胎児心拍動のドプラ観測を行う電子装置が配置される。該電子装置は必要に応じて（ないし封じ切り構造にするためには必須）無線テレメーター発信の機能を有し、また電源手段として１次電池あるいは２次電池が併設される。ドーム状の外匡（１）と臍窩の皮膚との間には超音波結合を成立させるためのゲルもしくは油、水、高級アルコール等が介在せしめられ、またその臍窩とは反対側の、外界に面する側の天板においては押え板（３）を介在させて大きな円形または長方形の絆創膏（４）が臍窩周辺の皮膚（５）との間に張り渡される。この押え板（３）は省略する事も出来、その場合はドーム状の外匡の天板と臍窩周辺の皮膚（５）との間に絆創膏（４）が直接張り渡される。装着状態で臍窩周辺の皮膚（５）からはこの押え板と絆創膏の分だけ（例えば２〜３ｍｍ）は段差が生ずるが、その段差の区域は平面を成すので「出っ張り」ではない。
【００８０】  しかしながらかかる液室内に実装される装置ないし機能は、それ自身は本発明の主旨には関係なく、また本発明の実施上の自由度の内に含まれるので、その詳細を逐一解説する事はしまい。
【００９０】  図２は上記図１に示された各部を中心軸上にて分離・分解して示す鳥瞰図であり、各部の番号は図１と同じ物を示す。ここで、実施上の要点として、押え板は接着ないしはめ込みにより本装置と事前に一体化した構成を採用しても良く、また全く省略しても良い。
【０１００】  図１および図２に示した実施例の他に、このドームの機能ないし実装内容を生体電極を用いた電気現象の観測に仕立てる事も出来、その場合は胎児監視の用途には腹壁誘導胎児心電信号を得る事が出来、また副次的に筋電信号にもとづく外測陣痛観測が出来る。
【０１１０】  さらに図１および図２に示した実施例の他に、このドームの機能ないし実装内容を変位計または応力計、加速度計などを用いた機械的現象ないし音響学的現象の観測に仕立てる事も出来、その場合は胎児監視の用途には胎児心音信号を得る事が出来、また副次的に硬さの観測にもとづく外測陣痛観測が出来る。
【０１２０】さらに図１および図２に示した実施例の他に、このドームの機能ないし実装内容を生体電極を用いた電気現象の観測に仕立てる事も出来、その場合は胎児監視の用途には腹壁誘導胎児心電信号を得る事が出来、また副次的に筋電信号の観測にもとづく外測陣痛観測が出来る。
【０１３０】  以上の各々の可能性ある信号の採取のための具体的な手段手法は経験者、有識者、同業者にとっては相応に自明な事柄であり、また本発明の概念の外側にある実施上の選択肢ないし自由度に属するので、ここでは詳細に説明する事はしない。
【０１４０】  一方、本発明の構造を信号の採取ではなく光、電磁波、超音波などの特定のエネルギーの外界に向けての放射に使う事もできる。該放射はマーカー、ビーコン、照明、装飾ないしこけおどしなどが目的である事が出来る。例えば電池とともに間欠発光する発光ダイオードを組み込み、押え板や取り付け用接着テープを必要十分程度に透光性の物にすると、お臍がピカピカ光る面白い動物（人間もその内）が模擬出来る。またそのお臍がピカピカ光るという機能をマーカーやビーコンにすれば自動開閉ドアや迷子防止、また海や川や湖や水泳プールの中で沈んでしまった人の発見などの役に立つようにシステムを構築する事が出来る。そのような実施例もまた本発明の好ましい実施例であり得る。
【０１４２】海や川や湖や水泳プールの中で沈んでしまった人の発見の目的には特公平８−２０５００が知られているが、それにおいても、言う所の「各泳者の首から上のどこかに装着するためのアンテナと識別コードを発信する発信器」なる物は体表面から出っ張っているので、本発明の実施による改良の対象である事ができる。
【０１５０】  以上の各々の可能性あるエネルギーの放射のための具体的な手段手法は経験者、有識者、同業者にとっては相応に自明な事柄であり、また本発明の概念の外側にある実施上の選択肢ないし自由度に属するので、ここでは詳細に説明する事はしない。
【０１６０】  すなわち本発明は臍窩に嵌入するごとく装着され、装着された結果その外側の面が周囲の腹壁体表面と略面一になるごとく構成された事を特徴とする、装身具あるいはウエアラブルデバイスである事が出来る。
【０１７０】  さらにまた本発明は臍窩に嵌入する部分が略ドーム状の外形を有し、該ドーム状の構造物が機械的ないし音響学的なセンサの機能を具備するごとく構成された事を特徴とする、装身具あるいはウエアラブルデバイスである事が出来る。
【０１８０】さらにまた本発明は臍窩に嵌入する部分が略ドーム状の外形を有し、該ドーム状の構造物が生体電極の機能を具備するごとく構成された事を特徴とする、装身具あるいはウエアラブルデバイスである事が出来る。
【０１９０】さらにまた本発明は臍窩に嵌入する部分が略ドーム状の外形を有し、該ドーム状の構造物が指向性を有する超音波送受波器の機能を具備するごとく構成された事を特徴とする、装身具あるいはウエアラブルデバイスである事が出来る。
【０２００】さらにまた本発明は装身具あるいはウエアラブルデバイスであって、該周囲の腹壁体表面と略面一になるごとく構成された外側の面において情報の伝送あるいはマーカー、ビーコン、照明等の目的で光、電磁波あるいは超音波を放射する機能を具備するごとく構成された事を特徴とする。該デバイスである事ができる。
【０２１０】以上の説明により明らかにされた如く、本発明の実施によれば、その最も切迫したニーズである胎児監視用の胎児信号採取の目的において、トランスでューサーが腹壁から出っ張っている事の最も顕著な悪い副作用である「きぬずれ」による機械的なアーティファクトの発生・混入が捨象出来るので、実施上誠に有益である。
【図面の簡単な説明】
【０２２０】
【図１】本発明の一般的な実施例における断面図である。これにおいて、（１）装置の外匡  （２）臍窩部  （３）押え板  （４）大きな絆創膏  （５）臍窩部の外周の体表面（腹壁表面）
【００１６】
【図２】図１の実施例を軸方向に分解して見せた所を示す鳥瞰図である。これにおいて、各部の名称と説明は図１の場合と同じである。
【図１】
2019048022.tif 000003
【図２】
2019048022.tif 000004